(57)【要約】【課題】コンピュータ読み取り可能な記録済媒体の不当コピーを防止する方法を提供する。【解決手段】本発明による方法は、オリジナル記憶媒体２０に記録されたデータを、不当なデータ読み出し装置を用いたコピーから保護する方法である。そのデータは、国際電気技術委員会の規格９０８に従って符号化される。符号化されたデータの一部は変更され、データのサブコードＱチャンネルにおける修正変更を導入する。その変更は、変更されたデータが、データ読み出し装置に用いられる規格９０８の実行と矛盾するが、その記録に続くデータの再生を妨げないようになされる。変更データを含むデータは、オリジナル記憶媒体に記録される。これにより、記録されたデータを再生するアプリケーションは、データの変更によって実質的に影響を受けずに動作するが、オリジナル記憶媒体を不当にコピーする際には、実質的に回復不能なエラーが発生する。
2004501477.tif 000002
【特許請求の範囲】
【請求項１】
オリジナルの記憶媒体に記録されたデータを、不正のデータ読み出し装置を用いたコピーから保護する方法であって、
国際電気技術委員会の規格９０８に従って符号化された第１のデータを受け取る受け取りステップと、
前記第１のデータの一部を変更して、前記第１のデータのサブコードＱチャンネルに修正変更を導入する第１の変更ステップと、
変更された第２のデータを含む前記第１のデータを、前記記憶媒体に記録する第１の記録ステップとを含み、
前記第１の変更ステップは、前記第２のデータが、前記データ読み出し装置で用いられる規格９０８の実行には矛盾するが、前記第１の記録ステップに続く前記第１のデータの再生は妨げないように行われ、
記録された前記第１のデータを再生するアプリケーションは、前記第１のデータの変更によって実質的に影響を受けないで動作するが、前記記憶媒体を不正コピーする場合には実質的に回復不能なエラーが発生することを特徴とするデータ保護方法。
【請求項２】
前記記憶媒体がコンパクトディスクを含むことを特徴とする請求項１に記載のデータ保護方法。
【請求項３】
前記第１のデータがデジタルオーディオデータを含むことを特徴とする請求項１に記載のデータ保護方法。
【請求項４】
前記第１の変更ステップが、前記記憶媒体に記録されるべきデータにおける絶対時間を修正変更する第１の修正変更ステップを含むことを特徴とする請求項１に記載のデータ保護方法。
【請求項５】
さらに、正確な絶対時間を、前記記憶媒体上で、未使用サブコードビットに記憶する記憶ステップを含むことを特徴とする請求項４に記載のデータ保護方法。
【請求項６】
前記第１の修正変更ステップが、選択された１つのトラックの複数の連続するブロックに記録される絶対時間を変更するステップを含むことを特徴とする請求項４に記載のデータ保護方法。
【請求項７】
前記第１の変更ステップが、前記第１のデータの１以上のブロックを、１以上の前記ブロックの前記サブコードＱチャンネルに記録された絶対時間を変化させることなく、前記記憶媒体の新しい領域に複製する複製ステップを含む請求項１に記載のデータ保護方法。
【請求項８】
前記第１の変更ステップが、前記記憶媒体に記録されるべきデータの１つのトラックにおいて、ポイントインデックス番号を修正変更する第２の修正変更ステップを含むことを特徴とする請求項１に記載のデータ保護方法。
【請求項９】
正確な絶対時間を、前記記憶媒体上で、未使用サブコードビットに記憶する記憶ステップを含むことを特徴とする請求項８に記載のデータ保護方法。
【請求項１０】
前記第１の変更ステップが、オーディオセッションおよびデータセッションを含むマルチセッション記録物を生成する生成ステップを含み、
複数の前記セッションのうち少なくとも１つに、前記サブコードＱチャンネルにおける前記修正変更が導入されることを特徴とする請求項１に記載のデータ保護方法。
【請求項１１】
複数の前記セッションが、第１のオーディオセッションを含み、
前記生成ステップが、前記第１のオーディオセッションに位置される１以上のトラックを指し示す、複数の前記セッションの１つに対するリードインを生成するステップを含む請求項１０に記載のデータ保護方法。
【請求項１２】
前記生成ステップが、前記規格によって仕様が定められた数よりも多くのトラックを含む、複数の前記セッションの１つに対するリードインを生成するステップを含む請求項１０に記載のデータ保護方法。
【請求項１３】
前記修正変更が、前記オーディオセッションと前記データセッションの両方に導入される請求項１０に記載のデータ保護方法。
【請求項１４】
前記生成ステップが、複数の前記セッションの開始と同時に、修正変更された絶対時間を挿入する挿入ステップを含む請求項１０に記載のデータ保護方法。
【請求項１５】
前記生成ステップが、そのうち少なくとも２つがオーディオセッションとして識別される複数のセッションを生成するステップを含む請求項１０に記載のデータ保護方法。
【請求項１６】
前記第１の記録ステップが、前記記憶媒体を正規にコピーする際に、前記記憶媒体の１つのデータセッションにおける前記第１のデータを圧縮しして記憶するステップを含む請求項１に記載のデータ保護方法。
【請求項１７】
符号化された前記第１のデータが、符号化されたオーディオデータを含み、
前記第１の変更ステップが、さらに、符号化された前記オーディオデータの一部を、変更されたデータが前記のデータ読み出し装置に使用される規格９０８の実行に矛盾するものとして識別されるように変更するステップを含み、
前記第１の記録ステップが、付属データを記録するステップを含み、
前記付属データは、符号化された前記オーディオデータの変更された一部を操作するアプリケーションにおいて、前記アプリケーションが、前記第１のデータを、符号化された前記オーディオデータの変更によって実質的に影響を受けないで再生するように、処理装置によって使用されるが、符号化された前記オーディオデータの変更された一部を補正する効果がなく、
前記第１の変更ステップは、前記記憶媒体を不正コピーする場合には実質的に回復不能な更なるエラーを生じさせることを特徴とする請求項１に記載のデータ保護方法。
【請求項１８】
前記付属データがエラー検知コードを含む請求項１７に記載のデータ保護方法。
【請求項１９】
前記第１の変更ステップが、前記第１のデータを、前記記憶媒体から生成される規格デジタル出力において前記修正変更を生成できるように変更するステップを含む請求項１に記載のデータ保護方法。
【請求項２０】
前記規格デジタル出力が、国際電気技術委員会の規格９５８に従って生成される請求項１９に記載のデータ保護方法。
【請求項２１】
オリジナルの記憶媒体に記録されたデータを、不正コピーから保護する方法であって、
国際電気技術委員会の規格９０８に従って符号化された第１のデータを受け取る受け取りステップと、
前記第１のデータの一部を変更して、前記第１のデータに修正変更を導入する第１の変更ステップと、
変更された第２のデータを含む前記第１のデータを、前記記憶媒体に記録する第１の記録ステップとを含み、
前記第１の変更ステップは、前記第２のデータのデジタル出力が、国際電気技術委員会の規格９０８の実行には矛盾するが、前記修正変更が、前記第１の記録ステップに続く前記第１のデータの再生は妨げないように行われ、
記録された前記第１のデータを再生するアプリケーションは、前記第１のデータにおける前記修正変更によって実質的に影響をうけないで動作するが、前記記憶媒体を不正コピーする場合には、前記デジタル出力に基づいて実質的に回復不能なエラーが発生することを特徴とするデータ保護方法。
【請求項２２】
前記第１の変更ステップは、前記第１のデータにおける１以上の制御ビットを変更するステップを含み、前記制御ビットは、前記デジタル出力において複製される請求項２１に記載のデータ保護方法。
【請求項２３】
前記第１の変更ステップは、前記第１のデータの１つのフレーム内で、オーディオデータのビットを処理するステップを含む請求項２１に記載のデータ保護方法。
【請求項２４】
オリジナルのデータ記憶媒体に記録されたデータを、不正のデータ読み出し装置を用いたコピーから保護する装置であって、
前記記憶媒体に記録するデータのストリームを受け取り、国際電気技術委員会の規格９０８に従って前記データを符号化するエンコーダと、
符号化された前記第１のデータの一部を、前記第１のデータのサブコードＱチャンネルに修正変更を導入することによって変更するサブコード生成器と、
前記記憶媒体に記録する変更されたデータを変調するように接続される８／１４ビット変調器（以下、「ＥＦＭ変調器」という。）と
を備え、
前記サブコード生成器において、前記変更は、変更されたデータが、前記データ読み出し装置で用いられる規格９０８の実行には矛盾するが、記録に続くそのデータの再生は妨げないように行われ、
記録された前記第１のデータを再生するアプリケーションは、前記第１のデータの変更によって実質的に影響をうけないで動作するが、前記記憶媒体を不正コピーする場合には実質的に回復不能なエラーが発生することを特徴とするデータ保護装置。
【請求項２５】
前記記憶媒体がコンパクトディスクを含むことを特徴とする請求項２４に記載のデータ保護装置。
【請求項２６】
前記第１のデータがデジタルオーディオデータを含むことを特徴とする請求項２４に記載のデータ保護装置。
【請求項２７】
前記サブコードＱチャンネルにおける前記修正変更が、前記記憶媒体に記録される前記第１のデータの１つのトラックのデータの絶対時間の変更された値を含む請求項２４に記載のデータ保護装置。
【請求項２８】
前記サブコードＱチャンネルにおける修正変更が、前記第１のデータの１以上のブロックを、１以上の前記ブロックの前記Ｑチャンネルに記録される絶対時間を変化させることなく、前記記憶媒体の新しい位置に複製することによって生じる請求項２４に記載のデータ保護装置。
【請求項２９】
前記サブコードＱチャンネルにおける修正変更が、前記記憶媒体に記録される１つのトラックの前記第１のデータのポイントインデックス番号の修正変更された値を含む請求項２４に記載のデータ保護装置。
【請求項３０】
さらに、前記ＥＦＭ変調器に対し、前記記憶媒体に記録する１つのデータセッションを提供するデータセッション生成器を備え、
前記記憶媒体に記録される前記第１のデータが、複数のセッションを含み、
前記データセッション生成器は、前記提供を、前記サブコードＱチャンネルにおける欠陥が、複数の前記セッションの少なくとも１つに導入されるように行うことを特徴とする請求項２４に記載のデータ保護装置。
【請求項３１】
符号化された前記第１のデータが、符号化されたオーディオデータを含み、
前記エンコーダが、さらに、符号化された前記オーディオデータの一部を、変更されたデータが前記のデータ読み出し装置に使用される規格９０８の実行に矛盾するものとして識別されるように変更し、
前記記憶媒体に記録されるデータが、付属データを含み、
前記付属データは、符号化された前記オーディオデータの変更された一部を操作するアプリケーションにおいて、前記アプリケーションが、前記第１のデータを、符号化された前記オーディオデータの変更によって実質的に影響を受けないで再生するように、処理装置によって使用されるが、符号化された前記オーディオデータの変更された一部を補正する効果がなく、
前記変更は、前記記憶媒体を不正コピーする場合には実質的に回復不能な更なるエラーを生じさせることを特徴とする請求項２４に記載のデータ保護装置。
【請求項３２】
前記サブコードＱチャンネルにおける前記欠陥が、国際電気技術委員会の規格９５８に従って前記記憶媒体から生成されるデジタル出力において前記修正変更を生成する請求項２４に記載のデータ保護装置。
【請求項３３】
オリジナルの記憶媒体に記録されたデータを、不正コピーから保護する装置であって、
前記記憶媒体に記録するデータのストリームを受け取り、国際電気技術委員会の規格９０８に従って前記データを符号化する一方、符号化された第１のデータの一部を変更し、その第１のデータに修正変更を導入するエンコーダと、
前記記憶媒体に記録する変更されたデータを変調するように接続されるＥＦＭ変調器と
を備え、
前記エンコーダにおける前記変更は、変更されたデータのデジタル出力が、国際電気技術委員会の規格９０８の実行には矛盾するが、その修正変更は、記録に続く前記第１のデータの再生は妨げないように行われ、
記録された前記第１のデータを再生するアプリケーションは、前記第１のデータにおける修正変更によって実質的に影響を受けないで動作するが、前記記憶媒体を不正コピーする場合には実質的に回復不能なエラーが発生することを特徴とするデータ保護装置。
【請求項３４】
前記エンコーダにおける前記変更は、前記第１のデータにおける１以上の制御ビットの変更を含み、前記制御ビットは、前記デジタル出力において複製される請求項３３に記載のデータ保護装置。
【請求項３５】
前記エンコーダにおける前記変更は、前記第１のデータの１つのフレーム内で、オーディオデータのビットを処理するステップを含む請求項３３に記載のデータ保護装置。
【請求項３６】
不正のデータ読み出し装置を用いたコピーを阻止するデータ記憶媒体であって、
前記記憶媒体には、国際電気技術委員会の規格９０８に従って符号化された媒体データが記憶され、
符号化された前記媒体データの一部が、前記媒体データのサブコードＱチャンネルに修正変更を導入することによって変更され、
前記変更は、変更されたデータが、前記データ読み出し装置で用いられる規格９０８の実行には矛盾するが、記録に続くそのデータの再生は妨げないように行われ、
記録された前記媒体データを再生するアプリケーションは、前記媒体データの変更によって実質的に影響をうけないで動作するが、前記記憶媒体を不正コピーする場合には実質的に回復不能なエラーが発生することを特徴とするデータ記憶媒体。
【請求項３７】
前記記憶媒体がコンパクトディスクを含むことを特徴とする請求項３６に記載のデータ記憶媒体。
【請求項３８】
前記媒体データがデジタルオーディオデータを含むことを特徴とする請求項３６に記載のデータ記憶媒体。
【請求項３９】
前記媒体データが、前記記憶媒体に、オーディオセッションおよびデータセッションを含むマルチセッションフォーマットで符号化され、
前記欠陥が、前記オーディオセッションおよびデータセッションの少なくとも１つに導入されることを特徴とする請求項３６に記載のデータ記憶媒体。
【請求項４０】
前記媒体データが、前記記憶媒体に、第１のセッションおよび第２のセッションを含むマルチセッションフォーマットで符号化され、
前記第２のセッションが、前記記憶媒体を正規にコピーする際に使用される、圧縮された形態の前記第１のセッションからの前記媒体データを含む請求項３６に記載のデータ記憶媒体。
【請求項４１】
前記媒体データが、符号化されたオーディオデータを含み、
符号化された前記オーディオデータの一部が、変更されたデータが前記のデータ読み出し装置に使用される規格９０８の実行に矛盾するものとして識別されるように変更され、
前記記憶媒体に記録されたデータが、付属データを含み、
前記付属データは、符号化された前記オーディオデータの変更された一部を操作するアプリケーションにおいて、前記アプリケーションが、前記媒体データを、符号化された前記オーディオデータの変更によって実質的に影響を受けないで再生するように、処理装置によって使用されるが、符号化された前記オーディオデータの変更された一部を補正する効果がなく、
前記変更は、前記記憶媒体を不正コピーする場合には実質的に回復不能な更なるエラーを生じさせることを特徴とする請求項３６に記載のデータ記憶媒体。
【請求項４２】
不正のコピーを阻止するデータ記憶媒体であって、
前記記憶媒体には、国際電気技術委員会の規格９０８に従って符号化された媒体データが記憶され、
符号化された前記第１のデータの一部が変更され、前記第１のデータに修正変更を導入し、
前記変更は、変更されたデータのデジタル出力が、国際電気技術委員会の規格９０８の実行には矛盾するが、前記修正変更は、記録に続くそのデータの再生を妨げないように行われ、
記録された前記第１のデータを再生するアプリケーションは、前記第１のデータの変更によって実質的に影響をうけないで動作するが、前記デジタル出力に基づいて前記記憶媒体を不正コピーする場合には、実質的に回復不能なエラーが発生することを特徴とするデータ記憶媒体。
【発明の詳細な説明】
【０００１】
（技術分野）
本発明は、一般に、知的財産権の保護に関し、より詳細には、記録されたオーディオ、コンピュータ読み取り可能媒体の不正コピーの防止に関する。
【０００２】
（背景技術）
コンパクトディスク（ＣＤ）の記録は、デジタルオーディオ記録物およびコンピュータソフトウェアの両方を流通させる好ましい手段である。ＣＤオーディオ記録は、ほとんど例外なく、「コンパクトディスクデジタルオーディオシステム」という名の国際電気技術委員会の規格９０８（１９８７年 スイス ジュネーブ）に従ってなされる。それは、引用により本明細書に組み込まれる。そのレッドブックとしても知られる規格９０８は、オーディオデータがどのようにデコードされるか、どのようにディスクに記録されるかを定義し、そのデータが規格のデジタルデコードチップを用いて再生されることを可能にする。異なる規格が、同様にＣＤに記録されうるコンピュータソフトウェア等の他の種類のデータに当てはまる。例えば、ブルーブック規格は、単一のディスク上でオーディオデータと他のデータとを結合させるマルチセッション記録の仕様を定める。
【０００３】
オリジナル音楽ＣＤは、マスタ型を用いてプラスチックブランクを成型することによって製造される。それは、高価で特殊な装置を用いて製造される。あるいは、記録可能なＣＤ（ＣＤＲ）は、顧客の要望に応じて認可された工場設備によって作られる場合がある。ＣＤ記録は、最近まで、ＣＤ記録装置が高価であるため、不正コピーに対して比較的安全であると考えられていた。最近、安価なＣＤ記録装置および読み取り／書き込み媒体が顧客に利用可能になるにつれ、この状態は変化した。従って、今や、１つの読み取り／書き込みＣＤドライブ、または、読み取りドライブと書き込みドライブとを有する従来のパーソナルコンピュータを用いて、全種類のＣＤの正確なデジタルコピーを作ることが容易である。ＣＤコンテンツは、１つのＣＤからバイト毎に読み出され、その後、不正コピーを作るために記録前のＣＤに書き込まれる。ＣＤコンテンツが読み取られるＣＤは、典型的に、合法的に購入されたオリジナルＣＤである。同様のコピー方法が、デジタルビデオディスク（ＤＶＤ）等の他の媒体で使用されうる。そのような違法コピーによるレコード産業およびソフトウェア産業の経済的損失は、何十億ドルにもなると予測される。
【０００４】
違法コピーを行うもう１つの一般的な方法は、多くのＣＤプレーヤによって提供される、Ｓ／ＰＤＩＦ（Ｓｏｎｙ／Ｐｈｉｌｉｐｓ Ｄｉｇｉｔａｌ Ｉｎｔｅｒｃｏｎｎｅｃｔ Ｆｏｒｍａｔ）出力等のデジタルオーディオ出力を経由する方法である。この出力フォーマットは、その引用により本明細書に組み込まれる「デジタルオーディオインタフェース」と名付けられたＩＥＣ規格９５８（１９９３年　スイス　ジェノバ）によって仕様が定められている。Ｓ／ＰＤＩＦ出力は、ＣＤプレーヤを、高品質の変換器、スピーカおよびその他のオーディオ部品に合法的に接続するために使用できる。一方、Ｓ／ＰＤＩＦも、ＣＤのオーディオコンテンツをビット毎に複製するので、違法に複製する者が、違法な複製物を作るために使用しやすい。Ｓ／ＰＤＩＦデータは、オーディオコンテンツに加えて、連続コピー管理システム（ＳＣＭＳ）サブコードとして知られるサブコードを含む。そのサブコードは、データソースが、オリジナルの記録物か複製物かを示す。ＳＣＭＳによれば、ユーザは、市販されている記録装置によって、複製物として印されたＳ／ＰＤＩＦストリームからのオーディオを記録できないと想定される。しかし、この保護は、違法に複製する者によって、簡単に回避される。
【０００５】
（発明の開示）
（発明の概要）
本発明の目的は、記録された、コンピュータ読み取り可能な媒体の不当なコピーを防止する改善された方法及び装置を提供することである。
【０００６】
本発明の更なる目的は、不当なコピーが困難なコンパクトディスクを製造する方法および装置を提供することである。
【０００７】
本発明の更なる目的は、オーディオディスクの不当なデジタルコピーを防止する方法および装置を提供することである。
【０００８】
本発明の好ましい実施の形態において、オリジナルの記憶媒体に記録される信号は、サブコードチャンネル、好ましくは、Ｑチャンネルにおいてなされる変化によって、不正コピーから保護される。この目的のために、データ書き込みユニットは、符号化ブロックを備える。その符号化ブロックは、オーディオ信号を受け取り、国際電気技術委員会（ＩＥＣ）の規格９０８に従って、そのオーディオ信号を符号化する。データ書き込みユニットの修正変更−挿入ブロックは、その符号化された信号を、符号化された信号のサブコードＱチャンネルに修正変更を導入することによって変更する。続いて、データ書き込みユニットの記録ブロックは、その変更された信号を、記憶媒体に記録する。記憶媒体は、典型的に、コンパクトディスク（ＣＤ）を含む。
【０００９】
好ましくは、変更された信号は、規格９０８、または、ＣＤ−ＲＯＭに使用される規格の実行によればエラーがあるが、それにもかかわらず、記録に続くオリジナル媒体からのオーディオ信号の再生を妨げない。従って、オリジナルＣＤは、その変更によって実質的に影響を受けない方法で動作しうる。それに対して、その変更は、ＣＤの不正コピーの生成が試みられるとき、実質的に回復不能なエラーを引き起こす。エラーは、不正コピーが全く生成されない、または、そのコピーが、実質的に使用できないように壊されるものとして示される。好ましくは、データ書き込みユニットまたは他のハードウェアに存在する正規のソフトウェアは、正規のコピーがその変更によって影響を受けずに再生できるように、ＣＤを複製できる。
【００１０】
本発明のいくつかの好ましい実施の形態において、修正変更−挿入ブロックは、ＣＤに記録されたオーディオ信号の修正変更された絶対的または相対的トラック時間の仕様を定めることによって、サブコードＱチャンネルに修正変更を挿入する。既知のＣＤコピーアルゴリズムは、非破壊（ｎｏｎ−ｃｏｒｒｕｐｔｅｄ）トラック時間に依存し、それ故、本発明の実施の形態を使用する際に準備されたＣＤの不正コピーを行うことができない。随意的に、オリジナルトラック時間は、規格９０８によって定義されるサブコードチャンネルの未使用ビットにおいてオリジナルＣＤに記憶される。正規のコピー用ソフトウェアは、未使用ビットからオリジナルのトラック時間を取り出し、それ故、オリジナルＣＤの十分に機能するコピーを作ることができる。
【００１１】
別の方法では、または、追加して、その修正変更は、第１のセッションのプログラム領域においてトラックを指し示し、かつ、不正コンピュータによるそのセッションの読み取りを阻止する特別なモードを含むリードインとともに、ディスクに１以上の追加のセッションを加えることによって導入される。
【００１２】
さらに、別の方法では、または、追加して、修正変更−挿入ブロックは、ＣＤに記録されるオーディオ信号のトラックの修正変更されたインデックス番号の仕様を定めることによって、サブコードＱチャンネルに修正変更を挿入する。当業界で既知のＣＤコピーアルゴリズムは、トラックの非破壊インデックス番号に依存する。故に、本発明の実施の形態を使用する際に準備されるＣＤを不正コピーすることができない。随意的に、トラックのオリジナルインデックス番号は、規格９０８によって定められるサブコードチャンネルの未使用ビットにおいてオリジナルＣＤに記憶される。正規のコピーソフトウェアは、未使用ビットまたはディスク上の第２のセッションから、トラックのオリジナルインデックス番号を取り出し、従って、オリジナルＣＤの十分に機能するコピーを作ることができる。
【００１３】
好ましくは、正規のパーソナルコンピュータ（ＰＣ）が、コピー防止ディスクのコンテンツを再生することを可能にするために、オリジナルコンテンツは、デジタル権利マネジメント（ＤＲＭ）技術、典型的には、（例えば、ＭＰ３やＶＱＦ等の当業界で既知の適当な任意のフォーマットを用いて）圧縮することによって保護される。これらの暗号化データは、例えば、未使用のサブコードチャンネルビット、ポーズ領域若しくはリードアウト領域、または、第２のセッションにおいて、従来のＣＤドライバソフトウェアに隠れて、ＣＤに記憶される。データは、正規のソフトウェアを用いることによってのみ、解読および再生でき、好ましくは、第２のセッションに記憶される。
【００１４】
さらに、好ましくは、ＣＤに導入される修正変更は、コピー防止ＣＤが再生されるＣＤプレーヤによって生成されるＳ／ＰＤＩＦ出力または他のデジタル出力において変化を引き起こす。そのデジタル出力における変化は、デジタル／アナログ変換器を有するオーディオスピーカ等の互換性のある装置によるＣＤ記録のオーディオ再生に影響を与えない。しかし、その変化は、デジタル出力を、例えば、レコーダへのデジタル入力として用いるＣＤコンテンツの不正コピーを防止する。
【００１５】
随意的に、サブコードチャンネルに導入される修正変更に加えて、さらなる修正変更が、不正コピーに対する追加の防止として、オーディオデータに故意に導入される。その修正変更は、規格９０８によって提供されるエラー検知コード等のディスク上の付属データが、ＣＤプレーヤが再生中にその修正変更を補正または隠すこと、および、それらをともに無視することのいずれかを可能にするように導入される。しかし、不正コピーが媒体から成るとき、付属データは、オリジナル媒体においてその故意の修正変更を克服する効果がない。その結果、コピーにおいて実質的に回復不能な障害が発生する。そのような修正変更を導入する方法は、上述の米国特許出願第０９／１７５２５５号および第０９／３７０８１３号に述べられる。
【００１６】
それ故、本発明の好ましい実施の形態によれば、オリジナルの記憶媒体に記録されたデータを、不正のデータ読み出し装置を用いたコピーから保護するコピー保護方法が提供される。その方法は、国際電気技術委員会の規格９０８に従って符号化された第１のデータを受け取る受け取りステップと、前記の第１のデータの一部を変更して、前記の第１のデータのサブコードＱチャンネルに修正変更を導入する第１の変更ステップと、変更された第２のデータを含む前記の第１のデータを、前記の記憶媒体に記録する第１の記録ステップとを含む。前記の第１の変更ステップは、前記の第２のデータが、前記のデータ読み出し装置で用いられる規格９０８の実行には矛盾するが、前記の第１の記録ステップに続く前記の第１のデータの再生は妨げないように行われ、記録された前記の第１のデータを再生するアプリケーションは、前記の第１のデータの変更によって実質的に影響を受けないで動作するが、前記の記憶媒体を不正コピーする場合には実質的に回復不能なエラーが発生する。
【００１７】
好ましくは、前記の記憶媒体はコンパクトディスクを含み、前記の第１のデータは、デジタルオーディオデータを含む。
【００１８】
好ましい実施の形態において、前記の第１の変更ステップが、前記の記憶媒体に記録されるべきデータにおける絶対時間を修正変更する第１の修正変更ステップを含む。好ましくは、正確な絶対時間が、前記の記憶媒体上で、未使用サブコードビットに記憶される。最も好ましくは、前記の第１の修正変更ステップは、選択された１つのトラックの複数の連続するブロックに記録される絶対時間を変更するステップを含む。
【００１９】
もう１つの好ましい実施の形態において、前記の第１の変更ステップは、前記の第１のデータの１以上のブロックを、１以上の前記のブロックの前記のサブコードＱチャンネルに記録された絶対時間を変化させることなく、前記の記憶媒体の新しい領域に複製する複製ステップを含む。
【００２０】
もう１つの好ましい実施の形態において、前記の第１の変更ステップは、前記の記憶媒体に記録されるべきデータの１つのトラックにおいて、ポイントインデックス番号を修正変更する第２の修正変更ステップを含む。好ましくは、前記のデータ保護方法は、正確な絶対時間を、前記の記憶媒体上で、未使用サブコードビットに記憶する記憶ステップを含む。
【００２１】
さらにもう１つの好ましい実施の形態において、前記の第１の変更ステップは、１以上のオーディオセッションおよびデータセッションを含むマルチセッション記録物を生成する生成ステップを含み、１以上のデータセッションおよびオーディオのセッションに、前記のサブコードＱチャンネルにおける前記の修正変更が導入される。好ましくは、前記の生成ステップが、前記の記憶媒体上の第１のオーディオセッションに位置される１以上のトラックを指し示す、複数の前記のセッションの１つに対するリードインを生成するステップを含む。別の方法では、または、追加して、前記の生成ステップは、前記の規格によって仕様が定められた数よりも多くのトラックを含む、複数の前記のセッションの１つに対するリードインを生成するステップを含む。さらに、別の方法では、または、追加して、前記の生成ステップは、前記の記録媒体が、実際は、それよりも短いことを示す複数の前記のセッションの１つに対するリードインを生成するステップを含む。さらに、別の方法では、または、追加して、前記の生成ステップは、複数の前記のセッションの開始と同時に、修正変更された絶対時間を挿入する挿入ステップを含む。さらに、別の方法では、または、追加して、前記の生成ステップは、そのうち少なくとも２つがオーディオセッションとして識別される複数のセッションを生成するステップを含む。
【００２２】
好ましい実施の形態において、前記の第１の記録ステップは、前記の記憶媒体を正規にコピーする際に、前記の記憶媒体の１つのデータセッションにおける前記の第１のデータを圧縮して記憶するステップを含む。
【００２３】
さらに好ましい実施の形態において、符号化された前記の第１のデータが、符号化されたオーディオデータを含み、前記データ保護方法は、前記の第１の変更ステップが、さらに、符号化された前記のオーディオデータの一部を、変更されたデータが前記のデータ読み出し装置に使用される規格９０８の実行に矛盾するように変更するステップを含む。前記の第１の記録ステップは、付属データを記録するステップを含み、前記の付属データは、符号化された前記のオーディオデータの変更された一部を操作するアプリケーションにおいて、前記のアプリケーションが、前記の第１のデータを、符号化された前記のオーディオデータの変更によって実質的に影響を受けないで再生するように、処理装置によって使用されるが、符号化された前記のオーディオデータの変更された一部を補正する効果がない。前記の第１の変更ステップは、前記の記憶媒体を不正コピーする場合には実質的に回復不能な更なるエラーを生じさせる。
【００２４】
好ましくは、前記の付属データは、エラー検知コードを含む。
【００２５】
さらに、本発明の好ましい実施の形態に従って、オリジナルの記憶媒体に記録されたデータを、不正コピーから保護するデータ保護方法が提供される。その方法は、国際電気技術委員会の規格９０８に従って符号化された第１のデータを受け取る受け取りステップと、前記の第１のデータの一部を変更して、前記の第１のデータに修正変更を導入する第１の変更ステップと、変更された第２のデータを含む前記の第１のデータを、前記の記憶媒体に記録する第１の記録ステップとを含む。前記の第１の変更ステップは、前記の第２のデータのデジタル出力が、国際電気技術委員会の規格９０８等のデジタル出力規格の実行には矛盾するが、前記の修正変更が、前記の第１の記録ステップに続く前記の第１のデータの再生は妨げないように行われる。記録された前記の第１のデータを再生するアプリケーションは、前記の第１のデータにおける前記の修正変更によって実質的に影響をうけないで動作するが、前記の記憶媒体を不正コピーする場合には、前記のデジタル出力に基づいて実質的に回復不能なエラーが発生する。
【００２６】
好ましくは、前記の第１の変更ステップは、前記の第１のデータにおける１以上の制御ビットを変更するステップを含み、前記の制御ビットは、前記のデジタル出力において複製される。加えて、または、あるいは、前記の第１の変更ステップは、前記の第１のデータの１つのフレーム内で、オーディオデータのビットを処理するステップを含む。
【００２７】
また、本発明の好ましい実施の形態に従って、オリジナルのデータ記憶媒体に記録されたデータを、不正のデータ読み出し装置を用いたコピーから保護するデータ保護装置が提供される。その装置は、前記の記憶媒体に記録するデータのストリームを受け取り、国際電気技術委員会の規格９０８に従って前記のデータを符号化するエンコーダと、符号化された前記の第１のデータの一部を、前記の第１のデータのサブコードＱチャンネルに修正変更を導入することによって変更するサブコード生成器と、前記の記憶媒体に記録する変更されたデータを変調するように接続される８／１４ビット変調器（ＥＦＭ変調器）とを備える。前記のサブコード生成器において、前記の変更は、変更されたデータが、前記のデータ読み出し装置で用いられる規格９０８の実行には矛盾するが、記録に続くそのデータの再生は妨げないように行われ、記録された前記の第１のデータを再生するアプリケーションは、前記の第１のデータの変更によって実質的に影響をうけないで動作するが、前記の記憶媒体を不正コピーする場合には実質的に回復不能なエラーが発生する。
【００２８】
好ましい実施の形態において、前記のデータ保護装置は、さらに、前記のＥＦＭ変調器に対し、前記の記憶媒体に記録する１つのデータセッションを提供するデータセッション生成器を備える。前記の記憶媒体に記録される前記の第１のデータは、マルチセッションデータを含む。前記のデータセッション生成器は、前記の提供を、前記のサブコードＱチャンネルにおける欠陥が、複数の前記のセッションの少なくとも１つに導入されるように行う。
【００２９】
加えて、本発明の好ましい実施の形態に従って、不正のデータ読み出し装置を用いたコピーを阻止するデータ記憶媒体が提供される。前記の記憶媒体には、国際電気技術委員会の規格９０８に従って符号化された媒体データが記憶され、符号化された前記の第１のデータの一部が、前記の第１のデータのサブコードＱチャンネルに修正変更を導入することによって変更され、前記の変更は、変更されたデータが、前記のデータ読み出し装置で用いられる規格９０８の実行には矛盾するものとして識別されるが、記録に続くそのデータの再生は妨げないように行われ、記録された前記の第１のデータを再生するアプリケーションは、前記の第１のデータの変更によって実質的に影響をうけないで動作するが、前記の記憶媒体を不正コピーする場合には実質的に回復不能なエラーが発生する。
【００３０】
（好ましい実施の形態の詳細な説明）
以下に、添付の図面を参照して、本発明の好ましい実施の形態について詳細に説明する。
図１は、当業界で既知の記録操作に基づいたオーディオコンパクトディスク（ＣＤ）２０の全体的なレイアウトを示す図式的な断面図である。情報領域２２は、リードイン（ＬＩ）領域２４、プログラム領域（ＰＡ）２６およびリードアウト（ＬＯ）領域２８を含む。情報領域２２は、らせん状に外側に広がっており、ＣＤ２０の記録コンテンツの全てを含む。リードイン領域２４とリードアウト領域２８は、ともに、ＰチャンネルおよびＱチャンネルを含む。そのＰチャンネルおよびＱチャンネルは、ＣＤの再生中に使用されるタイミング情報およびトラック情報を含む。プログラム領域２６は、付随するサブコード情報と同様に、最大９９本のトラックのオーディオ情報（例えば、音楽）から成る。
【００３１】
本発明の好ましい実施の形態は、違法コピーを防止するために、ＣＤ２０のデータを修正変更する、多くの異なる補完技術を提供する。これらの実施の形態の多くは、以下で詳細に述べられる。一般に、修正変更は、以下のように分類される。
１）全体的なディスクレイアウトの修正変更
例えば、オーディオＣＤ上に複数のセッションを記録する。典型的には、第２のセッションのリードインに矛盾するポインタを追加することにより、第２のセッションが、一般に違法コピーに使用されるパーソナルコンピュータ（ＰＣ）を誤らせることができる。好ましくは、ＣＤ上のラストセッションは、圧縮された形態の音楽を含むデータセッションである。最も好ましくは、音楽は、ディスクからの直接再生を可能にするように暗号化され、および／または、正規ユーザのディスクから、保護ソフトウェアを通して、ダウンロードおよび再生することを可能にするために、デジタルラッパー技術（デジタル権利マネジメント−ＤＲＭとしても知られる）を使用して符号化される。
２）オーディオデータの修正変更
好ましくは、上述の米国特許出願第０９／３７０８１３号に説明されているノイズの挿入によるオーディオデータの修正変更。
３）特にＱチャンネルにおけるサブコード情報の修正変更
これらの修正変更は、例えば、絶対または相対時間、インデックスポインタ、コンテンツテーブル（ＴＯＣ）情報（多すぎるまたは少なすぎるトラックをリストアップする、または、複数のセッション間のポインタを誤らせる）の変化、制御バイト修正変更、プレギャップ長操作を含む。他のそのような修正変更は、当業者に明らかである。
４）ＣＤに記録されたビット構造に対する低レベル修正変更
そのような修正変更は、上述の米国特許出願第０９／１７５２５５号および第０９／３７０８１３号に詳細に述べられる。それらは、典型的に、ＰＣに使用されるいくつかのＣＤ−ＲＯＭドライブにおいてハードウェアエラーを引き起こす連続ビットをＣＤに記録することを要する、または、それらが、間違ったオーディオデータを補間することを防止する。別の方法では、または、追加して、規格９０８によって仕様が定められた従来の８／１４ビット（ＥＦＭ）ルックアップテーブルに現れないビットシーケンスが、ＣＤに記録されてもよい。
これらの修正変更は、用途の必要性に応じて、ＣＤにおいて異なる組み合せで使用できる。
【００３２】
図２は、本発明の好ましい実施の形態による、コピー防止ＣＤの製造装置４０を示す図式的なブロック図である。オリジナルサウンド、すなわちアナログオーディオは、情報がオーディオＣＤ２０の規格プレーヤによって連続的に再生（記録）できるように、ディスク上で符号化するのに適したデジタルフォーマットに変換される。符号化の第１段階において、連続アナログサウンド信号を示すデジタルビットストリームが生成される。アナログ信号は、アナログデジタル（Ａ／Ｄ）変換器３０によって、離散デジタルサンプルに変換される。
【００３３】
再生中にエラーの検知および補正を可能にするために、そのビットストリームにパリティビットが追加される。エラー補正エンコーダ３２は、一般に使用されるクロスインターリーブリードソロモン符号（ＣＩＲＣ）を採用し、デジタルデータを再度並び替える。サブコード生成器３６は、エラー補正されたオーディオの３２バイト毎に１バイトのサブコードを追加する。規格９０８は、サブコードチャンネルのコンテンツがこの段階で追加されることを定める。しかし、サブコード生成器３０６は、ＣＤの通常の再生は実質的に影響を受けないが、不当コピーは防止されるように、規格サブコードを変更する。特に、その変更は、ビットストリームの完全性に対して妥協せず、ディスク上でＣＩＲＣエラーを生成しない。そのような変更の方法が、以下に述べられる。
【００３４】
また、装置４０は、オーディオセッションとデータセッションの両方を含むマルチセッションディスクを生成するのに使用される随意のデータセッション生成器３７を含む。以下に述べられるように、そのデータセッションは、不当なコンピュータによるＣＤの読み出しを防ぐように構成される。オーディオ圧縮器３５は、随意に提供され、そのようなマルチセッションディスクに符号化された形態で含有するオーディオ入力を圧縮する。
【００３５】
音声データの規格１６ビットワードを、２つの１４ビットの「光学的な」シンボルにマップすること、および、再生制御機能と表示機能等を追加の情報の記録に含むことは、当業界では既知である。８／１４ビット変調器（ＥＦＭ）３４は、エラー補正エンコーダ３２の出力を、サブコード生成器３６の出力およびデータセッション生成器３７の出力と結合させる。符号化されたデータの各ビットは、好ましくは、レーザビームレコーダ（ＬＢＲ）３８を用いて、ＣＤ２０を生成するマスタ上に物理的に書き込まれ、マスタ上に一連の微細なピットを生成する。あるいは、専用バーナ３９が使用され、書き込み可能ＣＤ（ＣＤＲ）に直接ＣＤ２０を生成する。
【００３６】
図３は、規格９０８に基づく、ＥＦＭ変調器３４によって受け取られるデータ構造の詳細を示す図式的な図である。ＣＤに記録するデータの１ブロック５８は、エンコーダ３２（または、データセッション生成器３７）から受け取られた９８個のフレームまたはシンボル、および、１つの８ビットの「サブコード」ワードを含む。９８個のフレームは、各々が３２バイトのデータから成る。各々のサブコードワードにおける８ビットは、それぞれ、Ｐ、Ｑ、Ｒ、Ｓ、Ｔ、Ｕ、ＶおよびＷと呼ばれる。
【００３７】
９８個の連続フレームのＱビットは、集合的に１つのサブコードＱチャンネル６４と呼ばれる。そのサブコードＱチャンネルは、プログラムおよびタイミング情報を含み、同期ビットＳ０およびＳ１、４つの制御ビット、４つのアドレスビット、７２のデータビット、および、１６ビットの巡回冗長検査コード（ＣＲＣＣ）を含む。リードイン領域２４において、７２のデータビットは、相対時間（Ｒ−Ｔｉｍｅすなわちトラック時間）データ７４およびトラック位置を含み、一方、プログラム領域２６において、相対時間および絶対時間（Ａ−Ｔｉｍｅすなわちディスク時間）データが記憶される。各々のブロックの相対時間は、現在のトラックの最初からブロックの最初までの時間長を示す。絶対時間は、プログラム領域２６の最初からブロックの最初までの時間長を示す。時間は、分、秒、および、１秒間に７５の時間フレーム（１ブロックにおける９８のデータフレームとは異なる）としてフレームの単位で測定される。また、Ｑチャンネルは、トラック番号（ＴＮＯ）、および、ポイントインデックスとも言われる複数のイントラックインデックスを含む。リードイン領域２４において、Ｑチャンネルは、コンテンツのテーブル（ＴＯＣ）を有する。
【００３８】
下記の表１は、本発明の好ましい実施の形態によるサブコードＱチャンネル６４の絶対時間値の変化を図式的に示す。規格９０８による典型的なＣＤ２０の符号化において、絶対時間は、プログラム領域２６の最初から始まって、リードアウト領域２８の終わりまで線形的に増加する。当業界で既知のコピー用ソフトウェアは、オリジナルオーディオの円滑な再生、および、記録されるフレームと再生されるフレームの間のタイミングの同時性を確実にするために、ポインタとして絶対時間を使用する。具体化すると、好ましくは、表の「変更」列に示されるように、サブコードＱチャンネルの絶対時間値に修正変更が導入され、これにより、速度が増大する。このトラックにおいては、その速度で、時間が経過しているようにみえる。
【表１】
2004501477.tif 000003
【００３９】
オーディオのステレオ再生に悪影響を与えないように、オリジナルＣＤ２０の絶対時間は、上記の表に示されるように、好ましくは、１５０毎の連続ブロックのうち複数の連続ブロックにおいて増加され、トラック間のポーズ領域において通常に戻される。規格ＣＤプレーヤは、このように絶対時間を故意に修正変更することによって影響を受けない。しかし、ＣＤ２０の不正コピー品は、音楽における不連続を有する。例えば、上記の表では、その音楽において、絶対時間がフレーム２からフレーム４、フレーム６に飛び越す。ＣＤコピー品に結果として得られる信号は、一定振幅で、可聴で、変形された、かつ、一般的に不旋律な一連の音を有する。
【００４０】
随意的に、オリジナルの正確な絶対時間情報は、サブコードＲ−Ｗチャンネルの未使用ビット（図３）に記憶される。未使用ビットは、現在、規格９０８によって割り当てられない。正規のソフトウェアは、Ｒ−Ｗチャンネルに記憶されたデータにアクセスすることによって、オリジナルＣＤ２０のコピーが可能になる。
【００４１】
あるいは、絶対時間に修正変更を導入するよりもむしろ、不正コピーにおいて可聴効果を生成する修正変更が、ポイントインデックスおよび／またはモード値を変化させることによって、サブコードＱチャンネル６４に導入される。絶対的なトラック時間と同様に、ポイントインデックスは、トラック内に一連の「チェックポイント」を提供する。修正変更された一連のポイントインデックスは、ＣＤ２０の不正コピー品において弱音領域を生じさせる。しかし、オリジナルＣＤの再生には影響しない。随意的には、上述のように、正確なインデックスがＲ−Ｗチャンネルに記憶され、正規のソフトウェアは、これらのチャンネルからインデックスを取り出すことにより、オリジナルＣＤのコピーを行える。
【００４２】
好ましくは、ＣＤに導入される修正変更は、そのコピー防止ＣＤが再生されるＣＤプレーヤによって生成されるＳ／ＰＤＩＦ出力等のデジタル出力において変化を生じさせる。デジタル出力データストリームは、サブフレームとして知られる３２ビットワードのシーケンスを有する。各々のサブフレームは、プリアンブルおよび制御ビットとともに、１６乃至２４ビットのオーディオデータを運ぶ。各々のサブフレームにおける制御ビットの１つは、ＣＤ上のデータの各フレームにおけるサブコードビットに類似したサブコードビットである。Ｓ／ＰＤＩＦデータストリームにおける１９２個のフレーム（典型的に、３８４のサブフレーム）の１ブロックにおけるサブコードビットは、制御バイト、トラック番号および時間を含む、ＣＤ上で再生されるサブコードＱチャンネルのコンテンツのほとんどを運ぶ。好ましくは、ディスク上のＱチャンネルに導入される修正変更は、Ｓ／ＰＤＩＦデータに持ち越される。これらの修正変更は、スピーカおよび他の互換性のある装置によるＣＤ記録のオーディオ再生に影響を与えないけれども、デジタル出力を用いるＣＤコンテンツの不正コピーを防止する。
【００４３】
上述のＩＥＣ９５８規格によって仕様が定められるように、Ｓ／ＰＤＩＦ信号は、ＣＤからコピーされた４つの制御バイトを含む。それ故、本発明の代替の実施の形態において、これらの制御バイトは、オーディオコンテンツの違法コピーを防止するために用いられる。この目的のために、レッドブック規格に従ってＣＤ上に制御バイトを記録する際、トラックモードは、典型的に１乃至１０個である多くのブロックに対し、反復周期的に「データ」に設定される。その後、ＣＲＣＣが、データの正確さの観点からこの制御バイトが有効であるように、再度計算される。しかし、記録物がＣＤプレーヤのＳ／ＰＤＩＦ出力から作成されるとき、この制御バイト設定は、典型的に、弱音またはクリックを引き起こし、これらは、結果として得られるオーディオストリームに現れる。
【００４４】
さらなる別の実施の形態において、Ｓ／ＰＤＩＦエンベロップ内のビットは、ＣＤコンテンツの不当な記録を混乱させるためにシフトされ、または、処理される。Ｓ／ＰＤＩＦサブフレーム内の３２ビットが、オーディオ再生用のデジタル／アナログ変換器に供給されるとき、その変換器は、３２ビット全てを獲得し、シフトとは関係無くオーディオを再生する。しかし、デジタルレコーダは、サブフレームの所定の一部のビットにおいてオーディオデータをシークし、他の一部のビットにおいて、そのオーディオデータとは別に制御データをシークする。ここで、これらのデータは、規格に従っていると仮定されている。従って、ビットオーダの処理は、オーディオの再生を可能にする一方、レコーダを阻止できる。
【００４５】
図４は、データセッション生成器３７を用いてＣＤの不正コピーを防止する、本発明の好ましい実施の形態による別の方法を図式的に示すブロック図である。オーディオＣＤは、単一のセッション９０しか持たないのに対し、セッション生成器３７を有する装置４０は、例えば、１以上のオーディオセッション１００と少なくとも１つのデータセッション１０２とを含む複数セッションを有するＣＤを生成できる。オーディオＣＤプレーヤは、マルチセッションＣＤ上の最初のセッション、この場合にはセッション１００のみを読み取り、残りを無視する。なお、ＤＶＤプレーヤは、データセッション１０２を読み取り、それを「意識する」が、それでもオーディオセッション１００を再生する。しかし、ＣＤがＣＤ−ＲＯＭドライブに挿入されるとき、コンピュータは、任意のセッションにアクセスでき、故に、第２のセッションまたはそれに続くセッションに組み込まれた修正変更によって混乱させられる。従って、本実施の形態は、第１のオーディオセッションに続くデータセッション１０２または付加的なオーディオセッションのサブコードＱチャンネルに矛盾データを導入することによって作用する。最も好ましくは、ディスクの３つ以上の全てのセッションのうち少なくとも２つのオーディオセッションがある。
【００４６】
好ましくは、修正変更データが、同様にオーディオセッション１００に導入される。修正変更は、ディスク上の付属データによって、ＣＤプレーヤが、再生中にその修正変更を補正または隠すことができる、または、それらをともに無視できるように、導入される。その付属データは、規格９０８（または、他の適用可能な規格）によって提供されるクロスインターリーブリードソロモン符号（ＣＩＲＣ）エラー検知コード等である。しかし、不正コピー品が媒体から成るとき、付属データは、オリジナル媒体における故意の修正変更を回復する効果がない。その結果、そのコピー品において、実質的に回復不能な障害が起こる。そのような修正変更を導入する方法は、上述の米国特許出願第０９／１７５２５５号および第０９／３７０８１３号に述べられる。
【００４７】
サブコードチャンネルおよび／またはオーディオデータにおける修正変更にも関わらず、オーディオＣＤプレーヤは、難なく、そのディスク上のオーディオ信号を再生する。しかし、コンピュータのＣＤドライブは、ＣＤ上の複数セッションおよびオーディオセッション１００における修正変更データのいずれか（または両方）によって混乱させされ、コピーはおろか、ディスクをロードすることも再生することもできない。
【００４８】
追加のオーディオおよび／またはデータセッションにおける修正変更は、好ましくは、以下の１以上の機構によって導入される。
１）第１のセッションのプラグラム領域に位置されるトラックを指し示すリードインを生成する。
２）規格９０８によって認められるよりも多くのトラックでリードインを生成する。
２）そのリードインをより短いＣＤをシミュレートするように修正変更する。
３）セッションの最初に絶対時間を修正変更する。
【００４９】
以下の表２は、これらの方法に従って、オーディオ再生に影響を与えることなく、オーディオコンテンツのコンピュータコピーを防止するために、マルチセッションＣＤのサブコードＱチャンネルにおいてなされる変化を説明する。ＣＤ上の第１のセッションは、レッドブック規格に基づくオーディオセッションである。一方、第２のセッションおよび続くセッションは、上述のように、ブルーブックに基づくオーディオセッションまたはデータセッションであってよい。
【表２】
2004501477.tif 000004
これらの変化の結果として、コンピュータＣＤ−ＲＯＭまたはＤＶＤ−ＲＯＭドライブは、セッション３においてサブコードＱチャンネルを読み取る際に、ＴＯＣにリストアップされた存在しないデータトラックを探索するエンドレスループに入る。もし、ドライブが通常のオーディオコンテンツを保持するセッション１へのアクセスに成功するなら、１秒のプレギャップ（レッドブック仕様書から外れる）および／または変形されたＡ時間によって混乱させられる可能性がある。しかし、ＣＤオーディオプレーヤおよびＤＶＤプレーヤは、概ねこれらの変化によって影響を受けない。この点で、セッション２は重要である。なぜなら、セッション２が無ければ、いくつかのブルーブック準拠のＤＶＤプレーヤは、ＣＤの搭載を拒否するからである。表に記された特定の修正変更は、例として挙げられている。代替の修正変更の組み合せ、時間値および他のパラメータの設定が、当業者に明らかである。
【００５０】
好ましくは、正規のパーソナルコンピュータ（ＰＣ）がコピー防止ディスクのコンテンツを再生するために、オリジナルコンテンツが、オーディオ圧縮器３５（図２）によって、（ＭＰ３またはＶＱＦ等の当業界で既知の任意の適当なフォーマットを用いて）圧縮され、暗号化される。これらの暗号化されたデータは、そのデータが従来のＣＤドライバソフトウェアから隠されるように、「デジタルラッパ」技術を用いて記憶される。例えば、そのデータは、上述のように、未使用のサブコードチャンネルビット、ＣＤ上のデータセッションの１つ、または、リードイン領域、リードアウト領域若しくはポーズ領域に記憶されてもよい。データは、正規のソフトウェアを用いてのみ、解読および再生でき、また、好ましくは、第２のセッションに記憶され、適切に許可されたユーザおよび／または装置にのみ利用される。正規のソフトウェアは、もし、そのソースが、オリジナルＣＤでない、または、そのデータを区別および使用する規則が守られないなら、そのデータの解読をさせない。
【００５１】
上述の好ましい実施の形態は例として引用され、本発明は、本明細書で特に図示され、説明されたものに限られない。むしろ、本発明の範囲は、本明細書で説明された種々の特徴のコンビネーションおよびサブコンビネーションと、先の記述を読んだ当業者によって生成される、および、従来技術では開示されないその種々の特徴の変形や修正変更の両方を含む。
【図面の簡単な説明】
【図１】既知の記録動作に対応するコンパクトディスク（ＣＤ）の図式的な断面図。
【図２】コピー防止ＣＤを製造する本発明の好ましい実施の形態による方法を示す図式的なブロック図。
【図３】既知の記録動作に対応してＣＤに書き込まれるデータ構造の詳細を示す図式的な図。
【図４】本発明の好ましい実施の形態による、不正コピーを防止するためのＣＤ上のデータの重複を図式的に示すブロック図。
【符号の説明】
２０　オーディオコンパクトディスク
２２　情報領域
２４　リードイン領域
２６　プログラム領域
２８　リードアウト領域
【図１】
2004501477.tif 000005
【図２】
2004501477.tif 000006
【図３】
2004501477.tif 000007
【図４】
2004501477.tif 000008
【国際公開パンフレット】
2004501477.tif 000009
2004501477.tif 000010
2004501477.tif 000011
2004501477.tif 000012
2004501477.tif 000013
2004501477.tif 000014
2004501477.tif 000015
2004501477.tif 000016
2004501477.tif 000017
2004501477.tif 000018
2004501477.tif 000019
2004501477.tif 000020
2004501477.tif 000021
2004501477.tif 000022
2004501477.tif 000023
2004501477.tif 000024
2004501477.tif 000025
2004501477.tif 000026
2004501477.tif 000027
2004501477.tif 000028
2004501477.tif 000029
2004501477.tif 000030
2004501477.tif 000031
2004501477.tif 000032
2004501477.tif 000033
2004501477.tif 000034
2004501477.tif 000035
2004501477.tif 000036
【国際公開パンフレット（コレクトバージョン）】
2004501477.tif 000037
【国際調査報告】
2004501477.tif 000038